(57)【要約】      （修正有）【課題】収納ケース本体の底板にスライド溝を設けることなく、収納体の摺動範囲を拘束することができる収納ケースの摺動制御構造を提供する。【解決手段】収納ケースの摺動制御構造は、トップカバー１１、底板１２及び複数の支持ピラー１３を有する収納ケース本体１０と、収納体２０とを備える。底板１２は、２つの対称かつ中空状の孔部１２１を有する。孔部１２１は、両側の内側にスライド面１２２が形成され、前側の内側にストッパ面が形成されている。収納体２０の底面には、スライド面１２２に対応するようにスライドブロック２３が設けられてある。収納ケース本体１０の開口部から収納体２０を入れると、孔部１２１のスライド面１２２に、収納体２０のスライドブロック２３が当接して密着し、摺動範囲が限定されるため、収納体２０を簡便に出し入れすることができる。【選択図】図２
0003157494.tif 000002
【実用新案登録請求の範囲】
【請求項１】
トップカバー、底板及び複数の支持ピラーを有する収納ケース本体と、該収納ケース本体に摺動して出入可能に収納される収納体とを備えてなる収納ケースにおいて、
前記底板は、２つの対称かつ中空状の孔部を有し、前記孔部は、両側の内側にスライド面が形成され、前側の内側にストッパ面が形成され、
前記収納体の底面には、前記スライド面に対応するようにスライドブロックが設けられ、
前記収納ケース本体の開口部から前記収納体を入れると、前記孔部の前記スライド面に、前記収納体の前記スライドブロックが当接して密着し、摺動範囲が規制されるため、前記収納体は、前記収納ケース本体に対して良好な摺動効果を得て、前記収納体を簡便に出し入れし、前記収納体を引き出すときに、前記孔部の前記ストッパ面により、前記収納体の前記スライドブロックの開方向の摺動を所定距離で規制可能としてなることを特徴とする収納ケースの摺動制御構造。
【請求項２】
前記収納ケース本体は方形状であることを特徴とする請求項１に記載の収納ケースの摺動制御構造。
【請求項３】
前記孔部は格子状であることを特徴とする請求項１に記載の収納ケースの摺動制御構造。
【請求項４】
前記底板上には、前記スライド面の前端に隣接した箇所に凸体が設けられてなることを特徴とする請求項１に記載の収納ケースの摺動制御構造。
【請求項５】
前記収納体は、プラスチック射出により一体成形されてなることを特徴とする請求項１に記載の収納ケースの摺動制御構造。
【請求項６】
前記収納体は、内部に収納空間が設けられ、前側に前面板が設けられ、前記前面板の両端には、上から下方向にかけて小さくなり、外側が円弧状に形成された積層部が設けられてなることを特徴とする請求項１に記載の収納ケースの摺動制御構造。
【考案の詳細な説明】
【技術分野】
【０００１】
本考案は、収納ケース本体と該収納ケース本体に摺動により出入自在に収納される収納体からなる収納ケースの摺動制御構造に関するものであり、さらに詳しくは、収納ケース本体の孔部を利用し、収納体を当接して密着し、摺動範囲を拘束し、収納体を引き出すときに開方向の摺動を所定距離で規制することができる収納ケースの摺動制御構造に関するものである。
【背景技術】
【０００２】
従来の収納ケースの構造は、図６、図７及び図７−１に示すように、収納ケース３０及び収納体４０からなるものである。
【０００３】
収納ケース３０は、トップカバー３１、底板３２及び複数の支持ピラー３３から構成される。底板３２の上面両側にはスライド溝３２１がそれぞれ設けられてある。収納体４０の底面には、スライド溝３２１に対応するようにスライドブロック４１が設けられてあり、収納体４０のスライドブロック４１は、収納ケース３０のスライド溝３２１により摺動するため、収納ケース３０の開口部から収納体４０を入れたり、収納ケース３０から収納体４０を引き出したりすることができる。
【０００４】
従って、従来の収納ケースは、収納体を出入自在に収納するには、収納ケース３０の底板３２上にスライド溝３２１を設ける必要があり、高い製造コストを要するものであった。
【０００５】
かかる状況において、各種の収納ケースの一例として、例えば、特許文献１によれば、スライド式の収納ケースが提案され、引出部は出入自在とされているが、底板に孔部がなく、スライド面とスライドブロックを利用した摺動制御構造については開示がない。
【特許文献１】実用新案登録第２６０４９１２号公報
【考案の開示】
【考案が解決しようとする課題】
【０００６】
従って、本考案の課題は、前記の従来の収納ケースの問題点に鑑み、収納ケース本体と、該収納ケース本体に摺動して出入自在に収納される収納体とからなる収納ケースにおいて、収納ケース本体の底板にスライド溝を設けることなく、収納体の摺動範囲を制御可能な構造を有する収納ケースを提供する点にある。
【課題を解決するための手段】
【０００７】
そこで、本考案者は、前記の本考案の課題を解決するために鋭意検討を重ねたところ、収納ケース本体の底板に空間部たる孔部を設け、該孔部の内側の側面にスライド面を設け、該スライド面に当接するスライドブロックを収納体の下部に設けることにより摺動範囲を拘束できることに着目し、かかる知見に基いて本考案に想到した。
【０００８】
すなわち、本考案の目的は、孔部のスライド面と、収納体のスライドブロックとを当接して密着させながら摺動させることにより摺動範囲を拘束することができるので、収納ケースの底板にスライド溝を設ける必要がないため製造コストを減らすことができる収納ケースの摺動制御構造を提供することにある。
【０００９】
本考案のもう一つの目的は、孔部のストッパ面と収納体のスライドブロックとの組み合わせにより開方向の摺動を所定距離で規制することができるので、収納ケースの底板にスライド溝を設ける必要がないため、製造コストを減らすことができる収納ケースの摺動制御構造を提供することにある。
【００１０】
かくして、請求項１に係る考案によれば、
トップカバー、底板及び複数の支持ピラーを有する収納ケース本体と、該収納ケース本体に摺動して出入自在に収納される収納体とを備えてなる収納ケースにおいて、
前記底板は、２つの対称かつ中空状の孔部を有し、前記孔部は、両側の内側にスライド面が形成され、前側の内側にストッパ面が形成され、
前記収納体の底面には、前記スライド面に対応するようにスライドブロックが設けられ、
前記収納ケース本体の開口部から前記収納体を入れると、前記孔部の前記スライド面に、前記収納体の前記スライドブロックが当接して密着し、摺動範囲が規制されるため、前記収納体は、前記収納ケース本体に対して良好な摺動効果を得て、前記収納体を簡便に出し入れし、前記収納体を引き出すときに、前記孔部の前記ストッパ面により、前記収納体の前記スライドブロックの開方向の摺動を所定距離で規制可能としてなることを特徴とする収納ケースの摺動制御構造が提供される。
【００１１】
請求項２に係る考案によれば、
前記収納ケース本体は方形状であることを特徴とする請求項１に記載の収納ケースの摺動制御構造が提供される。
【００１２】
請求項３に係る考案によれば、
前記孔部は格子状であることを特徴とする請求項１に記載の収納ケースの摺動制御構造が提供される。
【００１３】
請求項４に係る考案によれば、
前記底板上には、前記スライド面の前端に隣接した箇所に凸体が設けられてなることを特徴とする請求項１に記載の収納ケースの摺動制御構造が提供される。
【００１４】
請求項５に係る考案によれば、
前記収納体は、プラスチック射出により一体成形されてなることを特徴とする請求項１に記載の収納ケースの摺動制御構造が提供される。
【００１５】
請求項６に係る考案によれば、
前記収納体は、内部に収納空間が設けられ、前側に前面板が設けられ、前記前面板の両端には、上から下方向にかけて小さくなり、外側が円弧状に形成された積層部が設けられてなることを特徴とする請求項１に記載の収納ケースの摺動制御構造が提供される。
【考案の効果】
【００１６】
本考案の収納ケースの摺動制御構造は、以下（１）及び（２）の効果を奏する。
（１）孔部のスライド面と、収納体のスライドブロックとを当接して密着させながら摺動させることにより摺動範囲を拘束することができるので、収納ケースの底板にスライド溝を設ける必要がないため、製造コストを減少させることができる。
（２）孔部のストッパ面と収納体のスライドブロックとの組み合わせにより開方向の摺動を所定距離で規制することができるので、収納ケースの底板にスライド溝を設ける必要がないため、製造コスを減少させることができる。
【図面の簡単な説明】
【００１７】
【図１】本考案の一実施形態による収納ケースを示す斜視図である。
【図２】本考案の一実施形態による収納ケースを構成する収納ケース本体と収納体とを示す分解斜視図である。
【図３】本考案の一実施形態による収納ケースの収納ケース本体に収納体を収納した状態を示す側面断面図である。
【図４】本考案の一実施形態による収納ケースの収納ケース本体から収納体を引き出した状態を示す側面断面図である。
【図４−１】図４で示す摺動制御箇所の部分拡大図である。
【図５】本考案の一実施形態による収納ケースの収納ケース本体に収納体を収納した状態を示す正面断面図である。
【図５−１】図５で示す摺動制御箇所の部分拡大図である。
【図６】従来の収納ケースと収納体とを示す分解斜視図である。
【図７】従来の収納ケースに収納体を収納した状態を示す正面断面図である。
【図７−１】図７で示す収納ケースと収納体のスライド溝とスライドブロックの部分拡大図である。
【考案を実施するための最良の形態】
【００１８】
以下、本考案の実施形態について図面に基づいて説明する。なお、これによって本考案が限定されるものではない。
【００１９】
図１及び図２を参照する。図１及び図２に示すように、本考案の一実施形態による収納ケース１の摺動制御構造は、収納ケース本体１０及び収納体２０を含む。収納ケース１０は、トップカバー１１、底板１２及び複数の支持ピラー１３からなるものであり、方形状ケースでもよい。底板１２は、２つの対称かつ中空状の孔部１２１を有する。孔部１２１は、格子状でもよく、両側の内側にはスライド面１２２を形成してある。前側の内側にはストッパ面１２３を形成してある。
【００２０】
収納体２０は、プラスチック射出により一体成形されたものでよく、内部に収納空間２１が設けられ、前側に前面板２２が設けられてある。前面板２２の両端には、上から下方向にかけて小さくなっていて、外側が円弧状に形成された積層部２２１が設けられてある。収納体２０の底面には、スライド面１２２に対応するようにスライドブロック２３が設けられてある。
【００２１】
図２及び図３を参照する。図２及び図３に示すように、前記の構造の組み合わせにより、収納ケース本体１０の開口部から収納体２０を入れ、孔部１２１のスライド面１２２に収納体２０のスライドブロック２３を当接して密着させることにより摺動範囲を拘束する。これにより、収納体２０は、収納ケース本体１０に対して好ましい摺動効果を得て、簡便に出し入れすることができる。収納体２０を引き出す際は、孔部１２１のストッパ面１２３により、収納体２０のスライドブロック２３の開方向の摺動を所定距離で規制することができる。
【００２２】
図４及び図４−１に示すように、実際に収納ケース本体１０から収納体２０を引き出す際は、孔部１２１のストッパ面１２３により収納体２０のスライドブロック２３の開方向の摺動を所定距離で規制することができるため、収納体２０が収納ケース本体１０から完全に外れ、収納体２０の中に収納した物が不用意に落ちることを防ぐことができる。
【００２３】
図５及び図５−１に示すように、実際に収納ケース本体１０から収納体２０を引き出す際は、孔部１２１のスライド面１２２に収納体２０のスライドブロック２３が当接して密着し、摺動範囲が拘束されるため、収納体２０は、収納ケース本体１０に対して好ましい摺動効果を得て、収納体２０を簡便に出し入れすることができる。
【００２４】
また、収納ケース本体１０が重ねられて圧力が加わり、収納ケース本体１０から収納体２０を引き出すことができなくなることを防ぐために、図２に示すように、底板１２上のスライド面１２２の前端に隣接した箇所に設けられた凸体１２４により、収納体２０の底面を支持してもよい。即ち、収納体２０を簡便に引き出すことができるように、凸体１２４により収納体２０の底面を支える。そのため、本実施形態は、収納ケース本体１０の孔部１２１を利用することにより、収納体２０の摺動範囲を拘束し、開方向の摺動を所定距離で規制することができる。これにより、収納ケース本体１０の底板１２に、スライド溝を設ける必要がなくなり、製造加工コストを節減することができる。
【００２５】
前記の実施形態から分かるように、本考案の収納ケース１の摺動制御構造によれば、孔部のスライド面と、収納体のスライドブロックとを当接して密着させながら摺動させることにより摺動範囲を拘束することができるので、収納ケース本体の底板にスライド溝を設ける必要がないため、製造コストを低減させることができる。
【００２６】
また、本考案は、孔部のストッパ面と収納体のスライドブロックとの組み合わせにより開方向の摺動を所定距離で規制することができるので、収納ケースの底板にスライド溝を設ける必要がないため、製造コストを低減させることができる。
【００２７】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２８】
１    収納ケース
１０  収納ケース本体
１１  トップカバー
１２  底板
１３  支持ピラー
２０  収納体
２１  収納空間
２２  前面板
２３  スライドブロック
３０  収納ケース
３１  トップカバー
３２  底板
３３  支持ピラー
４０  収納体
４１  スライドブロック
１２１  孔部
１２２  スライド面
１２３  ストッパ面
１２４  凸体
２２１  積層部
３２１  スライド溝
【図１】
0003157494.tif 000003
【図２】
0003157494.tif 000004
【図３】
0003157494.tif 000005
【図４】
0003157494.tif 000006
【図４−１】
0003157494.tif 000007
【図５】
0003157494.tif 000008
【図５−１】
0003157494.tif 000009
【図６】
0003157494.tif 000010
【図７】
0003157494.tif 000011
【図７−１】
0003157494.tif 000012